(57)【要約】【課題】  自動車用車載ジャッキを、不安定な地盤面上でも安全に使用できる様にした、車載ジャッキ補助ベースを提供する。【解決手段】  十分な強度をもつ板（２）の底に、丈夫な素材でできた袋状の枕（３）を取り付け、この枕の中に大きな荷重により容易に破損しない真球形状の小さなプラスチック樹脂素材を充填して密閉したものを本発明における補助ベースとし、これを不安定な地盤面上に設置し、その上に既知の車載ジャッキを設置して、安全にジャッキアップ作業を行なう事ができることを特徴とする車載ジャッキ補助ベース。【選択図】  図１
2006131202.tif 000002
【特許請求の範囲】
【請求項１】
十分な強度をもつ板を設け、その表面に滑り止めシートを取り付けし、その板の底には丈夫な素材でできた袋状の枕を取り付け、袋状の枕の中には自在に変形し、なおかつ大きな荷重により容易に破壊しない内容物を充填して密閉し、袋状の枕の底には、柔軟性のあるゴム状の素材を取り付けして一体構造としたことを特徴とする、車載ジャッキ補助ベース。
【請求項２】
十分な強度をもつ板とその板の底に取り付けする丈夫な素材でできた袋状の枕とが、容易に取り付け又は取り外しできる構造とした、請求項１の車載ジャッキ補助ベース。
【発明の詳細な説明】
【技術分野】
【０００１】  本発明は、自動車の車載ジャッキ使用時に、ジャッキ設置位置下面を安定させて、ジャッキアップ作業を安全に行なえる様にした、車載ジャッキ補助ベースに関するものである。
【背景技術】
【０００２】  従来、自動車のジャッキアップ作業を行なう際には、平坦で硬いところに車載ジャッキを設置して、作業を行なうのが常識であった。しかし、実際にはやむをえず、凸凹の路面や傾斜地又は軟質地盤面において、作業を行なわなければならない事があった。
類似の先行技術文献
【実用新案文献１】
実用新案公開平０５−０５６７０５
【実用新案文献２】
登録実用新案  第３０４５５４４号
【発明が解決しようとする課題】
【０００３】  そのために、次のような問題点があった。
（イ）ジャッキアップ作業をジャッキが不安定な状況で行なってしまい、思わぬケガや事故を起こしてしまう危険性。
（ロ）無理なジャッキアップによる車体の破損、ジャッキ本体の変形など。
本発明は以上の問題点を解決しようとするものである。
【課題を解決するための手段】
【０００４】  十分な強度をもつ板を形成し、その表面に滑り止めシートを取り付け、その板の下には丈夫な素材でできた袋状の枕を取り付け、袋状の枕の中には自在に変形し、なおかつ大きな荷重により容易に破損しない内容物を充填して密閉し、袋状の枕の底には、柔軟性のあるゴム状の素材を取り付けして全体を一体構造とする（請求項１記載）。また、十分な強度をもつ板と丈夫な素材でできた袋状の枕とは、容易に取り付け又は取り外しできる構造とする（請求項２記載）。以上を特徴とする車載ジャッキ補助ベースである。
【発明の効果】
【０００５】  本発明は、不安定な地盤面上で自動車のジャッキアップ作業を車載ジャッキを使用して行なわなければならない時、ジャッキ本体の下に補助ベースとして設置する事により、現状の地盤面の形状に、丈夫な素材でできた袋状の枕をなじませ、その上に取り付けしてある十分な強度をもつ板を車体水平面とおおむね平行になる様に調整することができ、また、軟質地盤面においては、車載ジャッキ本体直下の設置面を安定させることができるため、不安定な地盤面上でも安全にジャッキアップ作業を行なう事ができる。
【発明を実施するための最良の形態】
【０００６】  以下、本発明の実施の形態について請求項１と請求項２を組み合わせた場合について説明する。
（イ）十分な強度をもつ板（２）の表面に、滑り止めシート（９）を取り付ける。
（ロ）十分な強度をもつ板（２）の裏側短辺部位の両端に、ゴム台（５）を取り付ける。なお、このゴム台（５）は、十分な強度をもつ板（２）の裏側長辺部位の両端に取り付けてもよく、さらに同短辺、同長辺の両部位に取り付けても構わない。
（ハ）十分な強度をもつ板（２）の裏面全体又はその一部に、面ファスナー  オス側（８）を取り付ける。
（ニ）別に、丈夫な素材でできた袋状の枕（３）に、大きな荷重により容易に破損しない真球形状の小さなプラスチック樹脂素材（４）を、充填して密閉し形成する。
（ホ）丈夫な素材でできた袋状の枕（３）の表面全体又はその一部に、面ファスナー  メス側（７）を取り付ける。
（ヘ）丈夫な素材でできた袋状の枕（３）の裏面全体又はその一部に、柔軟性のあるゴム状の素材（６）を取り付ける。該ゴム状の素材（６）は、ジャッキアップ作業に際して地盤面に対する本発明補助ベースの密接度を増さしめるもので、これにより滑り止め効果がもたらされ、より安定的な作業が行なえる。
（ト）前記、十分な強度をもつ板（２）と丈夫な素材でできた袋状の枕（３）とを、面ファスナー  オス側（８）と面ファスナー  メス側（７）の接着力により張り合わせ、一体の構造とする。
（チ）以下に実施例及び応用例（他の実施例）の詳細を示す。
十分な強度をもつ板（２）の材質
鉄、アルミニウム、ステンレス、銅、真鍮、木材、プラスチック樹脂など。
丈夫な素材でできた袋状の枕（３）の材質
ナイロン製生地、ゴム系の素材、カーボン繊維、植物系の繊維など。
大きな荷重により容易に破損しない真球形状の小さなプラスチック樹脂素材（４）に代わるもの。
砂又は固形で流動性の良いもの、粘土又は粘土状のもの、液体又はゲル状の物質など。
柔軟性のあるゴム状の素材（６）に加工を施したもの。
雪上又は凍結路面上でも使用できるようにゴム状の素材をスタッドレス形状としたもの。または、ゴム状の素材に細かい金属製のピンを多数取り付けしたもの。
本発明は、以上の構成よりなっている。
本発明を使用するときは、車体のジャッキアップポイント（１０）の直下に、上記（ト）にて作成した車載ジャッキベースを不安定な地盤面（１１）に設置し、丈夫な素材でできた袋状の枕（３）を不安定な地盤面（１１）に軽く手で押し馴染ませ、その上に取り付けしてある十分な強度をもつ板（２）を車体の水平面とおおむね平行になる様に調整する。そして、十分な強度をもつ板（２）の上に車載ジャッキ（１）を設置し、ジャッキを車体のジャッキアップポイント（１０）にかけ、ジャッキアップ作業を行なう。
また、請求項２に記載のように、十分な強度をもつ板（２）と丈夫な素材でできた袋状の枕（３）は、面ファスナー  オス側（８）と面ファスナー  メス側（７）により、容易に取り付け又は取り外しできる構造とすることにより、丈夫な素材でできた袋状の枕（３）を移動させたり、取り外したりして使用できる構造となる。
【図面の簡単な説明】
【０００７】
【図１】本発明の使用状態を示す分解斜視図
【図２】本発明の使用状態を示す側面図
【図３】本発明の図２のＡ−Ａ断面図
【符号の説明】
【０００８】  １  車載ジャッキ本体
２  十分な強度をもつ板
３  丈夫な素材でできた袋状の枕
４  大きな荷重により容易に破損しない真球形状の小さなプラスチック樹脂素材
５  ゴム台
６  柔軟性のあるゴム状の素材
７  面ファスナー  メス側
８  面ファスナー  オス側
９  滑り止めシート
１０  車体のジャッキアップポイント
１１  不安定な地盤面
【図１】
2006131202.tif 000003
【図２】
2006131202.tif 000004
【図３】
2006131202.tif 000005